(57)【要約】  シーム位置で相互に装着された２つの凹形部品を備えるセラミック製放電チャンバを含むセラミック製放電ランプ及びその製造方法が提供される。セラミック製リフレクタが、放電チャンバの外側表面の前記シーム位置に直付けされ、または、前記２つの凹形部品の一方に装着したセラミック製キャピラリに直付けされる。ランプは、ファイバーオプティック装置内への光入射等の、光収束を要する特定用途を有する。ランプは非常に小型で且つ、放電チャンバが反射性表面から隔絶されることによる、好ましいメタルハライドランプフィルからの塩類でリフレクタの光学的活性部品が覆われることがない利益を有する。
2011521415.tif 000002
【特許請求の範囲】
【請求項１】
セラミック製放電ランプであって、
セラミック製放電チャンバにして、該放電チャンバのシーム位置で相互に装着した２つの凹形部材を備え、放電フィル材料を包囲するセラミック製放電チャンバと、
前記シーム位置で前記放電チャンバの外側表面に直付けしたセラミック製リフレクタと、
を含む放電ランプ。
【請求項２】
前記２つの凹形部品の一方に直付けしたセラミック製キャピラリと、該キャピラリを貫いて伸延して前記放電チャンバに入る２つの電極と、を更に含み、該電極の各端部間の仮想線が前記リフレクタの焦点に交差する請求項１の放電ランプ。
【請求項３】
前記リフレクタに装着したレンズを更に含む請求項１の放電ランプ。
【請求項４】
前記凹形部品が全体に半球状を有する請求項１の放電ランプ。
【請求項５】
前記凹形部品の一方を含む第１セラミック部品と、前記セラミック製リフレクタと前記２つの凹形部品の他方とを含む第２セラミック部品と、を更に含み、外第１及び第２の各部品が前記シーム位置で相互に直付けされる請求項１の放電ランプ。
【請求項６】
前記２つの凹形部品の一方に直付けしたセラミック製キャピラリと、該キャピラリを貫いて伸延して前記放電チャンバに入る２つの電極とを更に含み、該電極の各端部間の仮想線が前記リフレクタの焦点に交差する請求項５の放電ランプ。
【請求項７】
前記２つの凹形部品の他方に直付けしたセラミック製キャピラリと、該キャピラリを貫いて伸延して前記放電チャンバに入る２つの電極とを更に含み、該電極の各端部間の仮想線が前記リフレクタの焦点に交差する請求項５の放電ランプ。
【請求項８】
前記セラミック製キャピラリの周囲のアウタージャケットを更に含み、該アウタージャケットが、フリットシールにより前記リフレクタの非反射性部分に直付けされ、前記２つの電極が前記アウタージャケットを貫いて伸延する請求項２の放電ランプ。
【請求項９】
前記キャピラリ、リフレクタ、放電チャンバ、を完全に包囲するアウタージャケットを更に含み、該アウタージャケットが、前記リフレクタの開口位置にレンズ要素を有し、前記２つの電極が前記アウタージャケットを貫いて伸延し、該アウタージャケットの内径が前記リフレクタの最外径未満である請求項２の放電ランプ。
【請求項１０】
セラミック製放電ランプの製造方法であって、
２つの凹形部品をシーム位置で相互に装着することによりセラミック製放電チャンバを作製すること、
該放電チャンバの外側表面のシーム位置にセラミック製リフレクタを直付けすること、
を含む方法。
【請求項１１】
前記２つの凹形部品の一方にセラミック製キャピラリを直に装着し、該キャピラリを貫いて２つの電極を伸延させて前記放電チャンバに導入することを更に含み、前記電極の各端部間の仮想線が前記リフレクタの焦点に交差する請求項１０の方法。
【請求項１２】
メタルハライドランプであって、
シーム位置で連結した２つの凹形部品を備えるセラミック製放電チャンバにして、メタルハライドフィルケミストリー及びバッファガスを包入する放電チャンバと、
前記２つの凹形部品の一方に直付けしたセラミック製キャピラリ及び、該キャピラリを貫いて伸延して前記放電チャンバに入る２つの電極と、
前記キャピラリの外側表面に直付けしたセラミック製リフレクタと、
を含むメタルハライドランプ。
【請求項１３】
前記放電チャンバ内の電極の各端子間の仮想線が前記リフレクタの焦点に交差する請求項１２のメタルハライドランプ。
【請求項１４】
前記２つの凹形部品の一方を含む第１セラミック部品と、前記２つの凹形部品の他方を含む第２セラミック部品と、前記リフレクタを含む第３セラミック部品にして、そのベース部に孔を有する第３セラミック部品と、を含み、前記第１及び第２の各セラミック部品が前記シーム位置で相互に直付けされ、前記第３セラミック部品の孔が前記キャピラリの外側表面に直付けされる請求項１２のメタルハライドランプ。
【請求項１５】
前記リフレクタに装着したレンズを更に含む請求項１２のメタルハライドランプ。
【請求項１６】
各凹形部品が全体に半球状を有する請求項１２のメタルハライドランプ。
【請求項１７】
前記キャピラリの周囲のアウタージャケットを更に含み、該アウタージャケットが、フリットシールにより前記リフレクタの非反射性部分に直付けされ、前記２つの電極が該アウタージャケットを貫いて伸延する請求項１２のメタルハライドランプ。
【請求項１８】
前記キャピラリ、リフレクタ、放電チャンバ、を完全に包囲するアウタージャケットを更に含み、該アウタージャケットが、前記リフレクタの開口位置にレンズ要素を有し、前記２つの電極が前記アウタージャケットを貫いて伸延し、該アウタージャケットの内径が前記リフレクタの最外径未満である請求項１２のメタルハライドランプ。
【発明の詳細な説明】
【技術分野】
【０００１】
本発明は、内部にバ−ナ及びリフレクタを備えるセラミック製放電ランプに関する。
【背景技術】
【０００２】
小型メタルハライドランプはしばしば市場に出回っており、各ランプは小型で且つリフレクタ内に納める集中化光源を提供するデザイン構成を有する。レンズが、光を投射用に収集及び合焦またはコリメートし、または装飾或いは医療用ファイバーオプティクス内に入射させる。この構成の例は斯界に既知であり、夜間運転用ビームを投射する自動車ヘッドランプ用のシリカガラス高強度放電（ＨＩＤ）ランプや、ファイバー照明用のショートアーク希ガスランプがある。近年、米国特許第７，０４５，９６０、ＷＯ２００４／０２３５１７、ＷＯ２００５／０８８６７３、米国特許第２００７／０１２０４９２により教示される如く、類似目的用の小型セラミックメタルハライドランプを備えるシリカガラスヘッドランプが増大している。これらのランプは水銀を含み得または含み得ない。医療用途、即ち、外科用ファイバーオプティック照明に使用するランプ例には、高圧Ｘｅガスフィルのみを収納するＣｅｒｍａｘ（商標名）ランプがある。
【０００３】
Ｃｅｒｍａｘ（商標名）ランプの一体型ショートアーク特徴を、手術中は目立たないフィルと組み合わせるこれまでの試みは不十分なものであった。コールドスポット位置で塩類が遊離して濃縮する飽和領域でランプを動作させるのは、塩類が窓を覆い、光、フィルタを遮り、色をランダム且つ無用に変化させることを保証するようなものである。
【先行技術文献】
【特許文献】
【０００４】
【特許文献１】米国特許第７，０４５，９６０号明細書
【特許文献２】国際公開第２００４／０２３５１７号
【特許文献３】国際公開第２００５／０８８６７３号
【特許文献４】米国特許第２００７／０１２０４９２号明細書
【特許文献５】米国特許第６，６２０，２７２号明細書
【非特許文献】
【０００５】
【非特許文献１】Ｃ．Ｈｅｎｔｓｃｈｅｌ，Ｆｉｂｅｒ  Ｏｐｔｉｃｓ  Ｈａｎｄｂｏｏｄ，２nd  Ｅｄｉｔｉｏｎ，Ｈｅｗｌｅｔｔ  Ｐａｃｋａｒｄ，Ｆｅｄ．Ｒｅｐ．Ｇｅｒｍａｎｙ，１９８８
【発明の概要】
【発明が解決しようとする課題】
【０００６】
収束光を生成し得るが、メタルハライドフィルの発光可能性をより有効に利用する、１０−５０Ｗレンジの、より有効なショートアークランプを提供することである。
【課題を解決するための手段】
【０００７】
本発明によれば、放電チャンバとリフレクタとが１部品として組み立てられ、放電チャンバが壁によりリフレクタのアクティブエリアから分離され、かくして放電フィル材が反射面及びレンズ（有る場合）から隔絶され、光学的アクティブエリアが塩類の薄膜で覆われない新規なセラミック製放電ランプ及び方法が提供される。
本発明によれば、２つの凹形部分を持つセラミック製放電チャンバをシーム位置で相互に装着し、セラミックリフレクタを前記シーム位置で放電チャンバの外側表面に、または前記２つの凹形部品の一方に取り付けたセラミック製キャピラリーに直付けした新規なメタルハライドランプ及びその製造法が提供される。各凹形部品は全体に半球状を有し、均分円位置に相互に装着されることが好ましい。
【０００８】
本発明によれば、放電チャンバ及びリフレクタが、ファイバーオプティクス束の照明用及びその内部への入射用に、アークからの光を楕円の第２焦点位置に収束させる構成を有する一体型メタルハライドランプが提供される。
本発明によれば、リフレクタが放電チャンバ用ヒートシンクとして作用することから、高電力負荷において前記各構成が実現される。
【発明の効果】
【０００９】
収束光を生成し得るがメタルハライドフィルの発光可能性をより有効に利用する、１０−５０Ｗレンジの、より有効なショートアークランプが提供される。
【図面の簡単な説明】
【００１０】
【図１】図１は、本発明のランプの第１実施例の概略図である。
【図２】図２は、第１ランプ組み立て方法の実施例図である。
【図３】図３は、第１ランプ組み立て方法の他の実施例図である。
【図４】図４は、本発明の第２実施例のランプの概略図である。
【図５ａ】図５ａは、第２ランプ組み立て方法実施例図である。
【図５ｂ】図５ｂは、第２ランプ組み立て方法実施例図である。
【図６】図６は、本発明のランプの実施例における楕円状リフレクタの焦点及びディメンションを表す概略図である。
【図７】図７は、レンズ無しで示す保護カバーを備える本発明のランプの概略図である。
【図８】図８は、レンズ付きで示す保護カバーを備える本発明のランプの概略図である。
【発明を実施するための形態】
【００１１】
本発明は、これに限定しないが、収束光を要する用途に対して意図されたセラミック製放電容器、詳しくはセラミック製メタルハライドランプを備えるランプに関する。それら用途には、装飾用照明、アクセント用照明、医療用内視鏡の各用途用のファイバーオプティック装置内への光入射用途、フィルムゲート、ＬＣＤ及びＤＬＰ（商標名）（Ｄｉｇｉｔａｌ  Ｌｉｇｈｔ  Ｐｒｏｊｅｃｔｉｏｎ装置／テキサスインストルメンツ社商標）、顕微鏡、の内部への光入射及びその他技術用途が含まれる。
【００１２】
１実施例において、本発明は、有効光を生成する放電フィル材、好ましくはメタルハライドフィルケミストリーを封入したセラミック製放電ランプが提供される。それら好ましいメタルハライドケミストリーは、これに限定しないが、Ｄｙ、Ｔｍ、Ｈｏ、のハライド等のレアアース塩類と、Ｎａ等のアルカリやＣａ等のアルカリン土類のハライドとの混合物であり得る。ヨウ化物は好ましいハライドである。その他ケミストリーは、ＣｅまたはＰｒハライドであり得る。ランプは金属Ｈｇをも含み得る。ランプはランプ始動を許容する不活性バッファガスをも好ましく含む。ガスは、Ａｒ、Ｋｒ、Ｎｅ、またはＸｅまたはそれらの混合物であり得、また、ランプが遅いウォームアップまたは、代表的には略１０バールのＸｅ（コールドフィル）を収納する自動車用Ｄランプの如きより急速なウォームアップ用として意図されるか否かに依存して、そのコールドフィルの圧力範囲は０．００４〜１５バールであり得る。代表的なフィルは０．１３バールのＡｒを含む。メタルハライドケミストリーが好ましいが、その他タイプのフィルも本発明のセラミック製放電ランプに有益に使用し得る。
【００１３】
バ−ナ及びリフレクタの放電チャンバを、放電ランプを壁によりリフレクタのアクティブエリアから隔絶する状態下に１つの一体部品に組み立てる。かくして、放電ランプはリフレクタそれ自体よりもずっと少ない容積を包囲し且つ含む。これにより反射面及びレンズ（使用する場合）から放電フィル材が隔絶されるので、光学的アクティブエリアが塩類薄膜で覆われることが無くなる。ランプは、光源がリフレクタの焦点位置に維持される点において、光学的には非一体化ランプとして動作する。この点は熱及び構造的に新規である。本発明により、反応性と、塩類による閉塞問題とが切り離される。比較的大型のリフレクタが熱ラジエターとして作用し得且つ放電チャンバを通常達成されるそれよりも低温状態に維持する。これにより、高い管壁負荷及び高いフィル添加剤蒸気圧下での動作に基づく一層多くの且つ良好なカラー光生成が可能となり得る。高い管壁負荷（＞３２Ｗ／ｃｍ2）はある種のレアアースベースケミストリーのために好ましい。
【００１４】
リフレクタは光学軸の周囲において回転対称性を持つ光学部品であり得る。リフレクタは、非画像光学要素原理並びに熱力学法則に見合う最大エネルギー搬送が要求される如き非対称形状においても成型され得る。実用目的上は回転楕円が好ましいモードと考えられる。
ランプは、放電チャンバとリフレクタとが、楕円の第２焦点位置のアークからの光を収束させてファイバーオプティクス束の照明及び当該束に入射させる構成を有する一体型セラミック製放電ランプを提供する。ランプはリフレクタの光学的アクティブ要素から離れた位置で放電チャンバ内にフィルを格納する。更には、ランプは、リフレクタが放電容積に対するヒートシンクとして作用することから、より高い出力負荷状態下にこれら目的を達成する。本発明によれば、放電チャンバまたはバ−ナが小型化されると共に、リフレクタ表面から離間して格納され、しかも尚、リフレクタそれ自体とは熱的に密着し、かくしてリフレクタがヒートシンクを提供する。
【００１５】
以下、図面を参照して詳しく説明する。図１には本発明のランプの第１実施例が示される。図６には本発明に関して好適な楕円形リフレクタのジオメトリが示される。ランプ１０は、アークがセラミック製リフレクタ１４の焦点Ｆ’位置に位置決めされるセラミック製放電チャンバ１２を含む。リフレクタ１４は放電チャンバ１２からの光を収集して焦点Ｆに収束させる。２つの電極１８を含むセラミック製キャピラリ１６が設けられ、前記電極は、各電極の先端６同士間の仮想線が焦点Ｆ’に交差する状態下に放電チャンバ内に伸延する。放電チャンバ１２は、セラミック製リフレクタ１４が、図１に示す如く放電チャンバ１２の外側表面に直付けされるところのシーム１２ｃ位置において相互取り付けした２つの凹形部品１２ａ及び１２ｂ（図１の放電チャンバ１２の左右の各部品）を含む。各凹形部品は全体に半球状を有することが好ましい。全体に半球状とは、各部品が全体にドーム形を有すること、または、連結した場合に必ずしも円形を有さず且つアーク動作用の好適な内側空間を提供するパーツを意味するものとする。セラミック製放電チャンバ及びリフレクタ用に好適なセラミックはポリクリスタリンアルミナである。
【００１６】
電極１８はキャピラリ１６を介して放電チャンバ内に封入され、リフレクタの光学軸からオフセットされた状態下に当該光学軸と実質的に整列する。各電極アセンブリは、一般にタングステンチップ６から構成され、これら各チップに溶接したモリブデン及びニオビウム製入力電線を含むその他の耐熱金属部品を含み得る。各電極はバ−ナ胴部の容積内に電気を導入する。ランプを通過する電流と各電極を横断して生じる電圧とが、バ−ナ加熱用ガスに電力を伝達してケミカルフィルを蒸発させ、蒸気を賦活してプラズマ状態化させ、かくして有益な放射、好ましくは可視光を生成させる。電極構造は斯界に周知のガラス・クリスタリンフリットを用いてシールする。随意的なレンズ７をリフレクタの開放端部に装着し得る。
以下に説明する如く、放電チャンバ及びリフレクタはグリーン状態下に相互に連結（例えば米国特許第６，６２０，２７２号等の斯界に既知の２ピースバルジの如く）した２つの部品として作製され、全密度に焼結される。
【００１７】
図２に示す、第１組み立て方法において、第１セラミック部品（部品１）が、リフレクタ１４と、一方の凹形部品１２ｂ（図２のリフレクタ形状の内側左端）及びキャピラリ１６と、を含み、第２セラミック部品（部品２）が他方の凹形部品１２ａを含む。各部品は、溶剤を用いて各部品の結合相を部分溶解させる化学的連結法により、または加熱ガスジェットを使用して２つの被連結面を組み立て直前に軟化させる熱的連結法により組み立て得る。
【００１８】
図３に示す第２組み立て方法において、第１セラミック部品（図品１）が一方の凹形部品１２ｂ及びキャピラリ１６を含み、第２セラミック部品（部品２）がリフレクタ１４及び他方の凹形部品１２ａを含む。第１組み立て方法における如く、各部品は溶剤を用いて各部品の結合相を部分溶解させる化学的連結法により、または加熱ガスジェットを使用して２つの被連結面を組み立て直前に軟化させる熱的連結法により組み立て得る。当該第２組み立て方法では、熱源により連結する各表面へのアクセスが容易化されることから熱的連結法が好ましい。
【００１９】
所望される放電チャンバ容積及びリフレクタの焦点位置配置が図１に示す形状と互換性がない（例えば、低ワット動作時の要求放電容積がずっと小さい）場合、放電チャンバ１２を、図４の第２実施例に示す如く、リフレクタ１４のもっと内側に位置決めした小容積の分離チャンバとして構成し得る。これにより、放電チャンバ容積及び焦点位置の制御上の融通性が最大化され得る。前記構成は、図５ａ及び図５ｂに示す如き３つのセラミック構造を用い、それらを連結して最終部品を形成することで構成し得る。図５ａに示す如く、先ずキャピラリ部品を熱的連結法または化学的連結法を使用して放電チャンバの一部に連結し、当該放電チャンバを完成させる。次いで、図５ｂに示す如く、リフレクタをキャピラリ部品に滑入させる。リフレクタは、グリーン状態下においては熱的連結法または化学的連結法により、焼結前状態では締まり嵌め法を使用して、または最終焼結後はアークチューブ充填及び電極シール以前に高温フリットを用いて、夫々キャピラリ部品に接合させ得る。図４には円筒状のキャピラリが示されるが、本発明は当該ジオメトリに限定されるものではない。例えば、キャピラリ部分を平坦化し得、または、断面をより矩形化させ得る。
【００２０】
本発明の他の有益な特徴は、放電チャンバ容積部分に共連結して一体化したリフレクタが熱消散構造として機能し、かくして電極のシール部分をより低温下に動作させることである。この場合、当該構造を、以下に議論するアウタージャケットエンクロージャを要すること無く、長時間に渡る屋外動作が可能となり得る。
多くのファイバーオプティクス束またはシングルモードファイバーの開口数は０．６４のオーダーの開口数を有するが、これは、光学軸に関する許容入射半角（特定ファイバーと、コア及びクラッディング間の相対屈折率に依存する）が約４０°であることを意味する。例えば、Ｃ．Ｈｅｎｔｓｃｈｅｌ，Ｆｉｂｅｒ  Ｏｐｔｉｃｓ  Ｈａｎｄｂｏｏｄ，２nd  Ｅｄｉｔｉｏｎ，Ｈｅｗｌｅｔｔ  Ｐａｃｋａｒｄ，Ｆｅｄ．Ｒｅｐ．Ｇｅｒｍａｎｙ，１９８８参照）。全角は約８０°であり、この集光角度よりも外側の光は、ファイバー内を伝搬されずにファイバー内に残り、ファイバー入口ポート位置で熱として消散することから有害であり得る。ファイバーが高分子製であるとファイバーはこの熱で溶融する。グラスファイバー及びその束は、マッチングを良好に達成し得ない場合に使用するのがベストである。
【００２１】
図６には焦点位置と、リフレクタの物理的ディメンションとの相関関係が示される。リフレクタ胴部の形状は、光学軸を通過する断面及び焦点が以下の式で説明され得る公称回転楕円である。
ｘ2／ａ2＋ｙ2／ｂ2＝１      （１）
偏心率をｅとすると、
ｅ＝√（ａ2−ｂ2）／ａ      （２）
通径Ｌ’Ｒ’がライン長さ（図６参照）であることは周知である。
Ｌ’Ｒ’＝２（ｂ2／ａ）        （３）
また、中心Ｏから焦点Ｆ’までの距離は、
ＯＦ’＝√（ａ2−ｂ2）      （４）
【００２２】
次いで、焦点角度γと、楕円のディメンションとの間の関係を構築し得る。これは、相補的な焦点Ｆ及び焦点角度を上述した如くファイバーオプティック束の取り込み角に合致させる上で必要である。三角法を用いると、
ｔａｎα＝（Ｆ’Ｌ’）／（ａ−ｘ）＝通径／２／（ａ−ｘ）＝（ｂ2／ａ）／ＯＦ’＝（ｂ2／ａ）／√（ａ2−ｂ2）            （５）
また、
ｔａｎγ＝ｂ／√（ａ2−ｂ2）    （６）
【００２３】
かくして、実際はリフレクタの外径が選択される。既知の開口数を持つファイバーオプティック束に合致させる場合は、ファイバーオプティクの入口を相補的な焦点Ｆ位置に配置した状態で、前記式６によりディメンションａを決定する。ＮＡ＝ｓｉｎγ〜０．６４、即ち、γ＝３９．８°である。従って、この値を式６に用いると、０．８３＝ｂ／√（ａ2−ｂ2）となる。この場合、直径２ｂ＝５０．８ｍｍ（約２インチ）のリフレクタでは深さａ＝３９．７７ｍｍとなり、アークは、ｘを楕円の後方から測定してＦ’位置に位置決めされる。
ｘ＝ａ−√（ａ2−ｂ2）＝９．１７ｍｍ  （７）
【００２４】
これらのディメンションは楕円の反射性部品に対して参照される。実際の物体の外径はセラミックの壁厚の２倍になり得る。この壁厚は、好ましい平均値を０．９ｍｍとした場合に０．４〜１．５ｍｍの間の範囲であり得る。
図７を参照するに、リフレクタ１４は、分光反射率を増長させるために光学的にアクティブの各表面に塗布したコーティングを含み得る。それらコーティングは銀、酸化アルミニューム被覆銀、あるいはその他高反射性金属、例えば、クロムをも使用可能である。可視光（３８０〜７８０ｎｍ）及び、ＩＲまたはＵＶにおける透過光において高反射性を有する干渉コーティングをも使用できる。干渉コーティングは、ファイバー入口ポート位置での有害波長の光学的負荷を減少させることから、ファイバーオプティック用途には有益である。収束化ビーム内のＵＶがあまりに多いとポリマー束が劣化され得る。本発明の有益な特徴は、コーティング領域への放電チャンバ及び反応性塩類の接触が物理的に防止されることである。
【００２５】
図７及び図８を参照するに、本発明には、電極構造のシール部分を対酸化保護する手段が含まれ得る。そのための第１方法では、電極構造のニオビウムワイヤに対酸化金属を溶接し、その上に斯界に既知の低溶融温度フリットまたはセラミックセメント（図示せず）をコーティングする。図７に示す第２方法では、水晶または硬質ガラス製の外側ジャケットにおいて一般的に行われる如く、水晶管２０の一部をフリット４２でリフレクタ１４の外側の非反射性表面にシールし、次いで、Ｍｏホイルシール２５を押し付けて閉鎖する。図８に示す更に他の方策では、光出力制御をアシストするレンズ状要素２４をそのドーム端部に含むプレスシール用のアウタージャケット（ＯＪ）２２内にアセンブリ全体が包入される。アウタージャケットには、Ｎａ損失制限用の、またはランプ温度調整用の不活性ガスを含み得る。アウタージャケット２２内でのランプ１０の位置は、アウタージャケット内径をリフレクタ１４の最外径と略等しく（僅かに大きい程度で）設定することで確立され得る。フレームシール５１を利用してアウタージャケットの各主要セクションを連結し得る。何れの場合でもキャピラリのベース部から排気用の好適な管４０を設け得る。
【００２６】
当該ランプ用の励起モードは、簡単な誘導性安定器を備える４０〜１００ＨｚＡＣ、スイッチング型ＤＣ、及び斯界に周知の任意の多数の方法であり得る。カラー安定性または光束増強化のために任意タイプの音響変調を波形に重ね得る（図１のＥＧＣ参照）。平行状態の電極フィードスルーにより、電極構造を、各電極を介して高周波電力をランプに移行させるための２本の平衡ライン型の移行ラインとしても利用可能である。その場合、励振器がＭＨｚ〜ＧＨｚレンジの小型高周波源となる。前記の如く構成され且つ動作するランプの寿命は、セラミックランプテクノロジーの良好な設計プラクティスに見合う数千時間になると考えられる。
以上、本発明を実施例を参照して説明したが、本発明の内で種々の変更をなし得ることを理解されたい。
【符号の説明】
【００２７】
１、２  部品
６  タングステンチップ
７  レンズ
１０  ランプ
１２  セラミック製放電チャンバ
１２ａ、１２ｂ  凹形部品
１４  セラミック製リフレクタ
１６  セラミック製キャピラリ
１８  電極
２０  水晶管
２４  レンズ状要素
２５  Ｍｏホイルシール
４０  管
４２  フリット
５１  フレームシール
【図１】
2011521415.tif 000003
【図２】
2011521415.tif 000004
【図３】
2011521415.tif 000005
【図４】
2011521415.tif 000006
【図５Ａ】
2011521415.tif 000007
【図５Ｂ】
2011521415.tif 000008
【図６】
2011521415.tif 000009
【図７】
2011521415.tif 000010
【図８】
2011521415.tif 000011
【国際調査報告】
2011521415.tif 000012
2011521415.tif 000013
2011521415.tif 000014
2011521415.tif 000015
2011521415.tif 000016